(57)【要約】　　　（修正有）【課題】ワンタッチ操作にて使用可能となるため面倒くささもなく、又、不使用時においてもワンタッチ操作にて他の炊事作業を妨げない収納ができるようにした跳ね返り水受け止め器具を提供する。【解決手段】跳ね返り水を受け止められる吸水性素材を垂らし掛けられる吸水性素材掛け部２を、シンクの前側の上方へ所定の高さに立ち上げられた状態にセットできるホルダー３を、流し台のシンクの前側Ｆに取付手段で取り付けたものである。前記のように構成された跳ね返り水受け止め器具は、ワンタッチ操作にて使用状態となり、最適な取り付け場所と吸水性素材の採用による効果的な跳ね返り水受け止め作用によって衣服や流し台下床面を濡らすことはなくなる。又、不使用時も他の炊事作業の邪魔にならない場所へワンタッチ操作で収納もできる。【選択図】　　　図２
2004089502.tif 000002
【特許請求の範囲】
【請求項１】
流し台のシンクの前側に取付手段にて取り付けられるホルダーと、前記ホルダーに取り付けられて、前記シンクの前側の上方へ所定の高さに立ち上げられた状態にセットされる吸水性素材掛け部とを有し、吸水性素材を前記吸水性素材掛け部に掛けて、前記シンクの前側の上方に垂らすことにより、前記シンク内の跳ね返り水を前記吸水性素材で受け止めて吸着させるように構成し、不使用時には前記吸水性素材掛け部を前記ホルダーとほぼ同等の高さ若しくはそれより下方へ収納可能に構成されたことを特徴とする跳ね返り水受け止め器具。
【請求項２】
前記吸水性素材掛け部を前記ホルダーに対して、前記シンクの左右方向へスライド調整可能に構成したことを特徴とする請求項１に記載の跳ね返り水受け止め器具。
【請求項３】
前記吸水性素材掛け部を前記ホルダーに対して上下方向へ高さ調整可能に構成したことを特徴とする請求項１に記載の跳ね返り水受け止め器具。
【発明の詳細な説明】
【０００１】
【発明が属する技術分野】
本発明は、標準的システムキッチン流し台のシンクの前側に取り付けられ、ワンタッチ操作にて、食器、調理器具等の洗い作業中に生じる跳ね返り水から衣服や流し台下床面への水濡れを防ぐことができ、又、不使用時には他の炊事作業を妨げないようワンタッチ操作で収納できるようにした新規な跳ね返り水受け止め器具の技術分野に属する物である。
【０００２】
【従来の技術】
従来から、流し台での食器、調理器具等の洗い作業中に生じる跳ね返り水が衣服にはね掛かるのを防ぐためには一般的にエプロンが使用されている。又、洗い作業を行う際のみ他の場所に収納されていたのを使用場所に取り付ける非吸水性の樹脂板製はね返り水防止器具もある。
【０００３】
【発明が解決しようとする課題】
しかし、エプロンの使用は大量の洗い物がある場合は有効なれど、少量の洗い物の場合は甚だ面倒であるためエプロン不使用の洗い作業となることが多い。又、上記の洗い作業を行う際のみ取り付け使用するはね返り水防止器具においてもエプロンと同様であり、更に、多くの食器、調理器具等でスペースのない流し台周辺の何処に置く（収納）かとの不便さも加わる。
【０００４】
本発明は、上記の問題を解決するためになされたものであって、ワンタッチ操作にて使用可能となるため面倒くささもなく、又、不使用時においてもワンタッチ操作にて他の炊事作業を妨げない収納ができるようにした跳ね返り水受け止め器具を提供することを目的としている。
【０００５】
【課題を解決するための手段】
上記の目的を達成するための本発明の跳ね返り水受け止め器具は、跳ね返り水を受け止められる吸水性素材からなるタオル、キッチンペーパーやスポンジタオル等を垂らし掛けられる吸水性素材掛け部が、シンクの前側の上方へ所定の高さに立ち上げられた状態にセットできるホルダーを、流し台のシンクの前側に両面テープ、磁石やネジ止め等の取付手段で取り付けたものである。
【０００６】
上記のように構成された本発明の跳ね返り水受け止め器具は、ワンタッチ操作にて使用状態となり、最適な取り付け場所と吸水性素材の採用による効果的な跳ね返り水受け止め作用によって衣服や流し台下床面を濡らすことはなくなる。又、不使用時も他の炊事作業の邪魔にならない場所へワンタッチ操作で収納もできる。これにより、核家族化による家庭内人数の減少に伴い一度の食事で出る洗い物の量も少なく、わざわざエプロンを使用するまでもなく跳ね返り水による衣服や流し台下床面の水濡れを防ぐことができる。
【０００７】
【発明の実施の形態】
以下、本発明を適用した跳ね返り水受け止め器具の実施の形態を、図を参照して説明する。
【０００８】
【実施例】
図１、図２、図３は、本発明の第１実施例の図であって、跳ね返り水を受け止める吸水性素材からなるタオルＴを垂らし掛けられる金属の丸棒やパイプ、又は、合成樹脂で形成された吸水性素材掛け部２と、これを、流し台のシンクの前側Ｆの上端面に取り付けられた、シンクの前側の上方へ所定の高さに立ち上げられた状態にセットできる取付手段を付設した金属や合成樹脂で形成されたホルダー３から構成されている。図３−３は、流し台のシンクの前側の上面に取付手段で取り付けらるよう形成されたホルダー３ａである。
【０００９】
例えば、吸水性素材掛け部２は、跳ね返り水を受け止められる効果的範囲の所定高さとして流し台上端から１５センチメートル〜２５センチメートル程、横幅は洗い作業の両腕に邪魔にならない範囲３０センチメートル前後とする。又、ホルダー３は、縦２．５センチメートル、横１０〜１５センチメートルに仕上がるよう厚さ２ミリメートル前後の金属板で、吸水性素材掛け部２を回転可能に取り付けられる軸受け部４を両端に形成し、その背面に付設された取付手段である両面テープ５で流し台のシンクの前側の上端面に取り付ける。回転止め６は、吸水性素材掛け部２のシンク側への倒れ込みを防ぐものである。又、仮想線で図示した吸水性素材掛け部２ｐ、タオルＴｐは不使用時の位置状態を示すものである。
【００１０】
図４は、本発明の第２実施例の図であって、標準的システムキッチン流し台の蛇口の出水口は左右に振られるようになっていて、それに合わせて本発明の跳ね返り水受け止め器具の吸水性素材掛け部２を、ホルダー３上を仮想線で図示した左右方向にスライドできる。
【００１１】
図５は、本発明の第３実施例の図であって、流し台高さ、流し台使用者の身長に合わせて、本発明の跳ね返り水受け止め器具の吸水性素材掛け部２を金属パイプで形成したで上枠２ａと金属丸棒で形成した下枠２ｂに分けることで仮想線で図示した上下方向の高さ調整ができる。
【００１２】
図６、図７、図８は、本発明の第４実施例の図であって、跳ね返り水を受け止める吸水性素材からなるタオルＴを垂らし掛けられる金属の丸棒、ワイヤー、コイルばね、板ばね、又は、合成樹脂丸棒等で形成された吸水性素材掛け部８と、これを、流し台のシンクの前側Ｆの上端面に取り付けられた、シンクの前側の上方へ所定の高さに立ち上げられた状態にセットできる取付手段を付設した金属や合成樹脂で形成された２個一対のホルダー９から構成されている。
【００１３】
左右端に設置されたホルダー９には、それぞれあらかじめ吸水性素材掛け部８を所定の高さに立ち上げられるように計算された立て掛け切り欠き孔１０が数個設けられており、吸水性素材掛け部８を立て掛ける際、それぞれの立て掛け切り欠き孔１０の組み合わせを変えることで高さ調整、左右へのスライド調整ができる。即ち、収納位置にある吸水性素材掛け部８をホルダー９の横溝１２に沿って前方に引き出すように左右に動かし、立て掛け高さ、立て掛け位置を決めながら立て掛け切り欠き孔１０に差し込むことで使用状態となる。なお、ホルダー９の横溝１２から抜けないように吸水性素材掛け部８の両端には抜け止め１１が形成されている。又、不使用時の収納場所もホルダー９とほぼ同等の高さになり、吸水性素材からなるタオルを使用した場合は手拭きとしての最適位置ともいえる。
【００１４】
図９、図１０は、本発明の第５実施例の図であって、流し台のシンクの前側Ｆの上端面に取付手段である両面テープ５にて取り付けられる金属板や樹脂成形されたホルダー１４と、吸水性素材掛け部１５と、２枚からなる支柱板１６、１７の４枚のリンク板がピン、ねじ、鋲等の連結部品１８でリンクされることで構成されている。この実施例の最大の利点は、吸水性素材掛け部１５の位置を左右へのスライド調整、高さ調整が無段階にできることにある。又、図１０−２に示すように、吸水性素材掛け部１５不使用時の収納場所もホルダー１４とほぼ同等の高さになる。
【００１５】
【発明の効果】
以上のように構成された跳ね返り水受け止め器具は、次のような効果を奏する。
【００１６】
請求項１は、食事に使用される食器、調理器具等が少なく洗い作業も簡単に済ませたい時などわざわざエプロンを使用するまでもなく、ワンタッチ操作にて使用状態となり、最適な取り付け場所と吸水性素材の採用による効果的な跳ね返り水受け止め作用によって衣服や流し台下床面を濡らすことはなくなる。なお、不使用時も他の炊事作業の邪魔にならない場所へワンタッチ操作で収納もでき、吸水性素材からなるタオルを使用した時は手拭きとして通常の使い方もできる。又、別の利用法として、吸水性素材からなるキッチンペーパーを使用することで、てんぷら油の飛散も受け止められそのままキッチンペーパーを捨てる便利さもある。
【００１７】
請求項２は、標準的システムキッチン流し台のシンクの横幅は小さいサイズでも５０センチメートル程あり、洗い作業をする場所によって左右方向に移動できる。
【００１８】
請求項３は、流し台高さ、流し台使用者の身長に合わせて跳ね返り水受け止め器具の効果範囲、ならびに使い易すさを選択できる。
【図面の簡単な説明】
【図１】本発明を適用した跳ね返り水受け止め器具の第１実施例を使用状態にセットしたことを説明する全体斜視図である。
【図２】本発明を適用した跳ね返り水受け止め器具の第１実施例を説明する斜視図及び側面図である。
【図３】本発明を適用した跳ね返り水受け止め器具の第１実施例を説明する一部拡大図及び取付状態一部断面図である。
【図４】本発明を適用した跳ね返り水受け止め器具の第２実施例を説明する正面図である。
【図５】本発明を適用した跳ね返り水受け止め器具の第３実施例を説明する正面図である。
【図６】本発明を適用した跳ね返り水受け止め器具の第４実施例を説明する正面図である。
【図７】本発明を適用した跳ね返り水受け止め器具の第４実施例を説明する斜視図である。
【図８】本発明を適用した跳ね返り水受け止め器具の第４実施例を説明する取付状態一部断面図である。
【図９】本発明を適用した跳ね返り水受け止め器具の第５実施例を説明する正面図である。
【図１０】本発明を適用した跳ね返り水受け止め器具の第５実施例を説明する側面図及び収納状態側面図である。
【符号の説明】
Ｆ　　流し台のシンクの前側
Ｔ　　タオル
１　　跳ね返り水受け止め器具（第１実施例）
２　　吸水性素材掛け部
３　　ホルダー
４　　軸受け部
５　　取付手段である両面テープ
６　　回転止め
７　　跳ね返り水受け止め器具（第２実施例）
８　　吸水性素材掛け部
９　　ホルダー
１０　立て掛け切り欠き孔
１２　横溝
１３　跳ね返り水受け止め器具（第３実施例）
１４　ホルダー
１５　吸水性素材掛け部
１６、１７　支柱板
１８　連結部品
【図１】
2004089502.tif 000003
【図２】
2004089502.tif 000004
【図３】
2004089502.tif 000005
【図４】
2004089502.tif 000006
【図５】
2004089502.tif 000007
【図６】
2004089502.tif 000008
【図７】
2004089502.tif 000009
【図８】
2004089502.tif 000010
【図９】
2004089502.tif 000011
【図１０】
2004089502.tif 000012